(57)【要約】【課題】本発明は、多様化する表示需要を満足することができる携帯式電子デバイスを提供する。【解決手段】本発明に係る携帯式電子デバイスは、本体と、前記本体に枢着されているディスプレイユニットと、前記本体に設置され、且つ前記本体からのビデオ信号を受信して対応する映像信号を生じさせ、該映像信号を前記ディスプレイユニットに投影する投影モジュールと、を備える。【選択図】図３
2011248345.tif 000002
【特許請求の範囲】
【請求項１】
本体と、
前記本体に枢着されているディスプレイユニットと、
前記本体に設置され、且つ前記本体からのビデオ信号を受信して対応する映像信号を生じさせ、該映像信号を前記ディスプレイユニットに投影する投影モジュールと、
を備えることを特徴とする携帯式電子デバイス。
【請求項２】
前記ディスプレイユニットは、前記本体に回動可能に枢着されるカバー及び前記カバーに着脱可能に設置されるスクリーンを備え、前記投影モジュールの映像信号は、前記スクリーンに投影されることを特徴とする請求項１に記載の携帯式電子デバイス。
【請求項３】
前記ディスプレイユニットは、前記カバーに設置される伸縮構造を更に備え、前記スクリーンは、弾性材料からなり、且つ前記伸縮構造を設置され、前記伸縮構造は、前記スクリーンのサイズを調整することを特徴とする請求項２に記載の携帯式電子デバイス。
【請求項４】
前記カバーは、矩形であり、前記伸縮構造は、前記カバーの４つの角部それぞれに設置される４つのリニアモーターを備え、各々のリニアモーターは、ローター及び前記ローターを推進して直線移動させるためのステーターを備え、
前記スクリーンは矩形であり、前記スクリーンの４つの端部は４つの前記ローターに固定され、４つの前記ステーターがそれぞれ対応する前記ローターを駆動することによって前記スクリーンを伸縮させることを特徴とする請求項３に記載の携帯式電子デバイス。
【請求項５】
前記投影モジュールは、前記本体の内部に収容され、前記携帯式電子デバイスは、前記投影モジュールを前記本体の外部へ突出させるか、又は前記本体の内部に収容させるように駆動する昇降構造を更に備えることを特徴とする請求項１に記載の携帯式電子デバイス。
【請求項６】
前記昇降構造は、前記投影モジュールを設置するためのプラットフォーム及び前記プラットフォームの昇降を駆動するための駆動部を備えることを特徴とする請求項５に記載の携帯式電子デバイス。
【請求項７】
前記ディスプレイユニットは、ディスプレイ及び前記ディスプレイに着脱可能に設置されるスクリーンを備え、前記スクリーンが前記ディスプレイに覆われる場合、前記スクリーンで画像を表示し、前記スクリーンが前記ディスプレイから取り除かれる場合、前記ディスプレイで画像を表示することを特徴とする請求項１に記載の携帯式電子デバイス。
【発明の詳細な説明】
【技術分野】
【０００１】
本発明は、電子デバイスに関し、特に携帯式電子デバイスに関するものである。
【背景技術】
【０００２】
従来の折畳み式の携帯式電子デバイスにおいて、ディスプレイ部を備えた蓋体と操作部を備えた本体とはヒンジ装置によって開閉自在に枢着される。しかし、前記本体内の映像信号をディスプレイ部のみで表示することは、使用者の機能多様化の需要を満足することができない。
【発明の概要】
【発明が解決しようとする課題】
【０００３】
本発明の目的は、多様化する表示需要を満足することができる携帯式電子デバイスを提供することである。
【課題を解決するための手段】
【０００４】
本発明に係る携帯式電子デバイスは、本体と、前記本体に枢着されているディスプレイユニットと、前記本体に設置され、且つ前記本体からのビデオ信号を受信して対応する映像信号を生じさせ、該映像信号を前記ディスプレイユニットに投影する投影モジュールと、を備える。
【発明の効果】
【０００５】
従来の技術に比べて、本発明に係る携帯式電子デバイスは、投影モジュールによって本体からのビデオ信号を受信し、対応する映像信号を生じさせ、該映像信号をディスプレイユニットに投影することで、使用者の多様化する需要を満足することができる。
【図面の簡単な説明】
【０００６】
【図１】本発明に係る携帯式電子デバイスの斜視図である。
【図２】図１に示した携帯式電子デバイスの分解斜視図である。
【図３】図１に示した携帯式電子デバイスの使用状態を示す図である。
【図４】図３に示した携帯式電子デバイスのＩＶ−ＩＶに沿う断面図である。
【発明を実施するための形態】
【０００７】
以下、図面を参照して、本発明の実施例について説明する。
【０００８】
図１から図４を参照すると、本発明の実施例に係る携帯式電子デバイス１００は、ディスプレイユニット１０、本体２０、投影モジュール３０及び昇降構造３５を備える。本実施例において、前記携帯式電子デバイス１００は、ノートパソコンである。他の実施例において、前記携帯式電子デバイス１００は、ｍｐ３、ｍｐ４、ＤＶＤなどのマルチメディアプレーヤー、又は携帯電話などの移動通信端末とすることもできる。
【０００９】
図２を参照すると、前記ディスプレイユニット１０は、前記本体２０に回動可能に枢着されており、且つ矩形をなすカバー１１、スクリーン１３及び伸縮構造１５を備える。前記カバー１１は、順次に接続されている４つの側辺１１ａ、１１ｂ、１１ｃ、１１ｄを備え、前記側辺１１ｃは前記本体２０に回動可能に枢着される。
【００１０】
本実施例において、前記伸縮構造１５は、前記カバー１１の４つの角部それぞれに設置される４つのリニアモーター１５ａ、１５ｂ、１５ｃ、１５ｄを備える。２つの前記リニアモーター１５ｃ、１５ｄは、前記カバー１１の側辺１１ｃの両端に向かい合うように設置され、且つ２つの前記リニアモーター１５ｃ、１５ｄを結ぶ線は、前記側辺１１ｃと平行である。他の２つの前記リニアモーター１５ａ、１５ｂは、前記カバー１１の側辺１１ａと側辺１１ｄとの接続箇所、及び前記カバー１１の側辺１１ａと１１ｂとの接続箇所それぞれに設置される。本実施例において、２つの前記リニアモーター１５ａ、１５ｂは、前記カバー１１の２つの対角線に設置される。４つの前記リニアモーター１５ａ、１５ｂ、１５ｃ、１５ｄは、ローター１５０及び前記ローター１５０を推進して直線移動させるためのステーター１５２をそれぞれに備える。２つの前記リニアモーター１５ｃ、１５ｄの２つのステーター１５２は、それぞれ対応するローター１５０を駆動して前記側辺１１ｃに平行な方向に沿って移動させ、２つの前記リニアモーター１５ａ、１５ｂの２つのステーター１５２は、それぞれ対応するローター１５０を駆動して前記カバー１１の２つの対角線に沿って移動させる。
【００１１】
前記スクリーン１３は、前記カバー１１のような矩形をなし、前記カバー１１に着脱可能に設置されており、前記本体２０に対面する。前記スクリーン１３は、弾性材料からなるので、弾性を持ち、伸縮、又は拡張できる。本実施例において、前記スクリーン１３は、シリカゲルからなる。前記スクリーン１３は、４つの前記リニアモーター１５ａ、１５ｂ、１５ｃ、１５ｄの４つのローター１５０それぞれに固定される４つの端部１３ａ、１３ｂ、１３ｃ、１３ｄを備える。各々の前記ステーター１５２が対応するローター１５０を駆動して移動させる際、前記スクリーン１３を伸縮できる。図３に示したように、前記スクリーン１３は、４つのリニアモーター１５ａ、１５ｂ、１５ｃ、１５ｄによって伸縮可能であり、視野を拡大、又は縮小することができる。
【００１２】
便利に使用するために、前記携帯式電子デバイス１００は、ショートカットメニュー又はプッシュボタンを操作することによって前記伸縮構造１５を制御することができる。ショートカットメニュー或いはプッシュボタンをクリックすることによって、４つの前記リニアモーター１５ａ、１５ｂ、１５ｃ、１５ｄを駆動し、前記スクリーン１３のサイズを調整する。また、前記伸縮構造１５は、本実施例の４つのリニアモーター１５ａ、１５ｂ、１５ｃ、１５ｄに限定されるものではない。
【００１３】
図３及び図４を参照すると、前記本体２０は、本体２０の表面に設置されるキーボード２１及びタッチパッド２３を備える。前記タッチパッド２３の下方には、収容槽２５が設けられ、前記タッチパッド２３は、前記収容槽２５を覆うカバー（図示せず）として設けられている。
【００１４】
前記投影モジュール３０は、前記本体２０の収容槽２５に収容され、前記本体２０からのビデオ信号を受信し、且つ対応する映像信号を生じさせて投影する。本実施例において、前記投影モジュール３０は、ミニプロジェクターである。
【００１５】
前記昇降構造３５も前記本体２０の収容槽２５に収容され、且つ前記投影モジュール３０を設置され、前記昇降構造３５の昇降によって、前記投影モジュール３０は前記本体２０の外部へ突出されるか、又は前記収容槽２５に収容される。前記投影モジュール３０が前記本体２０の外部へ突出される場合、映像信号を前記スクリーン１３に投影することができる。前記収容槽２５は、前記タッチパッド２３の下方に設けられるので、前記投影モジュール３０の昇降は、前記キーボード２１の各々のボタンに干渉しない。前記収容槽２５を覆うカバーは、前記投影モジュール３０が昇る時に自動的に開けられ、前記投影モジュール３０が前記収容槽２５に収容される時、粉塵の侵入、又は外力による押圧を防止して、前記投影モジュール３０を保護する。
【００１６】
前記昇降構造３５は、前記投影モジュール３０を設置するためのプラットフォーム３５０及び前記プラットフォーム３５０の昇降を駆動するための駆動部３５２を備える。前記プラットフォーム３５０には、軸孔３５０１が設けられており、前記軸孔３５０１の内面には、ねじ山が設けられる。前記駆動部３５２は、前記収容槽２５の底部に固定されており、且つ前記プラットフォーム３５０の軸孔３５０１に螺合する回転軸３５２１を備える。前記駆動部３５２が前記回転軸３５２１を回転させるので、前記プラットフォーム３５０が昇降でき、従って前記投影モジュール３０を前記本体２０の外部へ突出させるか、又は前記本体２０の内部に収容させる。本実施例において、前記駆動部３５２は駆動モーターである。
【００１７】
便利に使用するために、前記携帯式電子デバイス１００は、ショートカットメニュー又はプッシュボタンを操作することによって前記駆動部３５２を制御することができる。
【００１８】
前記昇降構造３５は、本実施例のプラットフォーム３５０及び駆動部３５２に限定されるものではない。また、前記スクリーン１３に投影される画面をはっきり表示させるために、前記本体２０に、ソフトウエア又はハードウエアを組み込むことで、前記投影モジュール３０の焦点距離を調整することができる。
【００１９】
本実施例に係る携帯式電子デバイス１００は、前記伸縮構造１５によって前記スクリーン１３のサイズを調整し、且つ、前記昇降構造３５によって前記投影モジュール３０を前記本体２０の外部へ突出させて、映像信号を前記スクリーン１３に投影するので、表示区域の大きさを必要に応じて調節することができ、ユーザーの異なる視野需要を満足することができる。
【００２０】
なお、前記携帯式電子デバイス１００の投影モジュール３０及びスクリーン１３は、伝統のＬＣＤディスプレイから完全に代わり、コストを節約することができる。また、前記カバー１１も、さらに薄型化及び軽量化することができる。
【００２１】
さらに、前記スクリーン１３は、取り換えやすいので、前記携帯式電子デバイス１００の使用寿命を延長することもできる。また、前記スクリーン１３は、重量が軽くて且つ変形できるシリカゲル材料からなるので、占有空間が小さく、携帯式電子デバイス１００の薄型化を実現しやすい。
【００２２】
他の実施例において、前記ディスプレイユニット１０は、ＬＣＤディスプレイ部を設置することで、予備表示部とすることもでき、前記ＬＣＤディスプレイ部と前記本体２０との間の接続方式及び信号伝送方式は、従来のノートパソコンと同じである。このように、前記携帯式電子デバイス１００は、２つの表示モードを有し、投影表示する必要がない場合、前記スクリーン１３を取り外して、ＬＣＤディスプレイ部で画像を表示する。
【符号の説明】
【００２３】
１００  携帯式電子デバイス
１０  ディスプレイユニット
２０  本体
３０  投影モジュール
１１  カバー
１３  スクリーン
１５  伸縮構造
１１ａ、１１ｂ、１１ｃ、１１ｄ  側辺
１５ａ、１５ｂ、１５ｃ、１５ｄ  リニアモーター
１５０  ローター
１５２  ステーター
１３ａ、１３ｂ、１３ｃ、１３ｄ  端部
３５  昇降構造
３５０  プラットフォーム
３５２  駆動部
３５０１  軸孔
３５２１  回転軸
２１  キーボード
２３  タッチパッド
２５  収容槽
【図１】
2011248345.tif 000003
【図２】
2011248345.tif 000004
【図３】
2011248345.tif 000005
【図４】
2011248345.tif 000006